【事件の表示】
　特許第２８９８２０９号「Ｃ１２〜Ｃ２０エステルに基づく組成物およびメークアップクレンジングにおける使用」の特許に対する特許異議の申立てについて、次のとおり決定する。
【結　論】
　訂正を認める。
　特許第２８９８２０９号の請求項１ないし７に係る特許を維持する。
【理　由】
I．手続の経緯
　特許第２８９８２０９号に係る発明の出願は、平成６年１１月４日（優先主張　１９９３年１１月５日　フランス）に出願され、平成１１年３月１２日にその設定登録がなされ、その後、鈴木悦司、小野範子からそれぞれ特許異議の申立がなされ、取消理由通知がなされ、その指定期間内である平成１２年７月１９日に訂正請求（その後取り下げ）がなされ、再度取消理由通知がなされ、その指定期間内である平成１２年９月７日付けで、訂正請求がなされたものである。
II．訂正請求について
１．訂正の内容
（１）特許明細書の特許請求の範囲の請求項１〜２７の記載を次のとおり訂正する。
「【請求項１】　水相と、少なくとも１つのエステルを含有する脂肪相とを含有する組成物であり、前記エステルが、１２から２０の中から選択された炭素数を有し、組成物の全重量の０．１重量％から１０重量％の範囲で存在し、脂肪相が、組成物の全重量の２０重量％よりも少なく存在し、エレクトロステリック作用による脂肪相を懸濁させるための薬剤を含有し、該懸濁薬剤がＣ１０〜Ｃ３０アルキルアクリレートおよびメタクリル酸またはそのエステルのコポリマーであることを特徴とする、メークアップクレンジング組成物。
【請求項２】　前記コポリマーが、酢酸エチル／シクロヘキサン混合物における、重合させた、アクリル酸／メタクリル酸ステアリルコポリマーであることを特徴とする、特許請求の範囲第１項に記載の組成物。
【請求項３】　前記懸濁薬剤が、組成物の全重量に対して、０．０５重量％から２重量％存在することを特徴とする、特許請求の範囲第１または２項に記載の組成物。
【請求項４】　水相と、少なくとも１つのエステルを含有する脂肪相とを含有する組成物であり、前記エステルが、１２から２０の中から選択された炭素数を有し、組成物の全重量の０．１重量％から１０重量％の範囲で存在し、脂肪相が、組成物の全重量の２０重量％よりも少なく存在し、界面張力を減少させることによって脂肪相を分散させるための薬剤を含有し、該薬剤が、イオン性脂質（リポソーム）または非イオン性脂質からなる、あるいはナノメーターサイズの、乳化システムから形成され、該乳化システムがセチルアルコールおよびステアリン酸グリセリル／ステアリン酸ＰＥＧ １００（ＣＴＦＡ）からなることを特徴とする、メークアップクレンジング組成物。
【請求項５】　水相と、少なくとも１つのエステルを含有する脂肪相とを含有する組成物であり、前記エステルが、１２から２０の中から選択された炭素数を有し、組成物の全重量の０．１重量％から１０重量％の範囲で存在し、脂肪相が、組成物の全重量の２０重量％よりも少なく存在し、界面張力を減少させることによって脂肪相を分散させるための薬剤を含有し、該薬剤が、イオン性脂質（リポソーム）または非イオン性脂質からなる、あるいはナノメーターサイズの、小胞に基づく小胞システムから形成され、該小胞システムが水素化レシチン／オキシエチレン化ダイズステロール（エチレンオキシド５モル）混合物から形成されることを特徴とする、メークアップクレンジング組成物。
【請求項６】　水和したイオン性脂質小胞（リポソーム）によって前記組成物の脂肪相を分散することにより得られた、クリームのかたさのゲルの形態で提供されることを特徴とする、特許請求の範囲第５項に記載の組成物。
【請求項７】　特許請求の範囲第１ないし６項のいずれか１項に記載のメークアップクレンジング組成物がメークアップした皮膚または目に適用され、洗い落とす工程を含有しないことを特徴とするメークアップクレンジング方法。」
（２）　明細書の、［００５２］の記載中の「実施例２」を「参考例」と訂正し、
明細書の［００５４］の記載中の「実施例３」を「実施例２」と訂正し、明細書の［００５６］の記載中の「実施例４」を「実施例３」と訂正し、明細書の［００５９］の記載中の「実施例５」を「実施例４」とそれぞれ訂正する。
（３）明細書の、［００４９］の記載中の
「この実施例で選択されたエステルを、以下の組成（重量％）で製剤した：
　−エステル　　　　　　　　　　　　　　　　　５％（本発明）
　又は　　　　　　　　　　　　　　　　　　　３０％（従来技術）
　−懸濁剤（ペムレンＴＲ１（グッドリッチ））０．１％
　−トリエタノールアミン　　　　　　　　　　０．１％
　−水　　　　　　　　　　　　　　　ｑｓ ｌ００％」
を
「この実施例で選択されたエステルを、以下の組成（重量％）で製剤した：
本発明の処方
−エステル　　　　　　　　　　　　　　　　５％
−懸濁剤（ペムレンＴＲ１（グッドリッチ））０．１％
−トリエタノールアミン　　　　　　　　　０．１％
−水　　　　　　　　　　　　　　ｑｓ　ｌ００％　
※従来技術の処方
−エステル　　　　　　　　　　　　　　　３０％
−懸濁剤（ペムレンＴＲ１（グッドリッチ））０．１％
−トリエタノールアミン　　　　　　　　　０．１％
−水　　　　　　　　　　　　　　ｑｓ　ｌ００％　　」と訂正する。
２．訂正の適否についての判断
（１）訂正の目的の適否、新規事項の有無及び拡張・変更の存否
　上記訂正事項（１）は、請求項１〜１２，１５〜１６，１９〜２４，２６以外の請求項、　即ち、特許査定時の特許請求の範囲の請求項１〜２７項の範囲を、請求項１３〜１４，１７〜１８，２５，２７の内容に減縮したものであり、訂正事項（２）、（３）は、特許請求の範囲の記載を訂正することにより生じた明細書の対応する部分の明りょうでない記載を明りょうにする訂正である。
　したがって、前記訂正（１）〜（３）は、特許請求の範囲の減縮を目的とし、明りょうでない記載の釈明を目的とするものである。
　そして、前記訂正（１）〜（３）は、願書に添付した明細書に記載した事項の範囲内においてするものであり、実質上特許請求の範囲を拡張・変更するものではない。
（２）独立特許要件について
　訂正後の請求項１〜７に係る発明は、訂正明細書の記載からみて、その特許請求の範囲の請求項１〜７に記載されたとおりのものである。
　そして、訂正後の請求項１に記載されている「エレクトロステリック作用による脂肪相を懸濁させるための薬剤を含有し、該懸濁薬剤がＣ１０〜Ｃ３０アルキルアクリレートおよびメタクリル酸またはそのエステルのコポリマーであること」については、各異議申立人が提出したいずれの刊行物にも記載されているものではないし、また、それらを使用することについての示唆がされているとも言えない。
　また、訂正後の請求項４に記載されている「界面張力を減少させることによって脂肪相を分散させるための薬剤を含有し、該薬剤が、イオン性脂質（リポソーム）または非イオン性脂質からなる、あるいはナノメーターサイズの、乳化システムから形成され、該乳化システムがセチルアルコールおよびステアリン酸グリセリル／ステアリン酸ＰＥＧ １００（ＣＴＦＡ）からなること」については、各異議申立人が提出したいずれの刊行物にも記載されているものではないし、また、それらを使用することについての示唆がされているとも言えない。
　さらに、訂正後の請求項５に記載されている「界面張力を減少させることによって脂肪相を分散させるための薬剤を含有し、該薬剤が、イオン性脂質（リポソーム）または非イオン性脂質からなる、あるいはナノメーターサイズの、小胞に基づく小胞システムから形成され、該小胞システムが水素化レシチン／オキシエチレン化ダイズステロール（エチレンオキシド５モル）混合物から形成されること」については、各異議申立人が提出したいずれの刊行物にも記載されているものではないし、また、それらを使用することについての示唆がされているとも言えない。
　したがって、訂正後の請求項１、４、５に係る発明は、各異議申立人が提出した刊行物に記載された発明ではなく、また、同刊行物に記載された発明に基づいて当業者が容易に発明をすることができたものとも言えず、さらに、本件特許出願前の特願平６−５１０６０２号の先願明細書に記載された発明と同一であるとも言えない。
　そして、請求項２〜３は、請求項１を引用するものであり、請求項６は、請求項５を引用するものであり、請求項７は、請求項１〜６のいずれかを引用するものであるから、訂正後の請求項１、４、５に係る発明と同様の理由により、結局、訂正後の特許請求の範囲に記載された発明は出願の際独立して特許を受けることができるものである。
３．むすび
　以上のとおりであるから、上記訂正請求は、特許法第１２０条の４第２項及び第３項で準用する同法第１２６条第２〜４項の規定に適合するので、当該訂正を認める。
III．本件発明
　訂正後の特許請求の範囲の請求項１〜７に係る発明は、訂正明細書の記載からみて、その特許請求の範囲の請求項１〜７に記載されたとおりのものである。
IV．特許異議の申立について
１．特許異議申立人の主張
（ｉ）異議申立人　鈴木悦司は、甲第１号証（特開昭５７−２０９２０９号公報）、甲第２号証（特開昭５９−８８４２１号公報）、甲第３号証（特開昭５９−３６６０５号公報）、甲第４号証（特願平６−５１０６０２号〈特表平７−５０２７５７号公報〉）、参考資料１「化学大辞典」（共立出版、昭和５６年１０月１５日）、第５９８〜５９９頁、参考資料２「新化粧品学」（南山堂、１９９４年５月１０日）、第１７４〜１７５頁を提出して、本件特許の請求項１、２、７〜１０、１２、１６、１９〜２３および２６に係る発明は、甲第１号証に記載された発明であるから、請求項１、２、７〜１０、１２、１６、１９〜２３および２６に係る各発明の特許は、特許法第２９条第１項の規定に違反してされたものであり、本件特許の請求項１、２、５、６、８〜１０、２０〜２３および２６に係る発明は、甲第２号証に記載された発明であるから、本件特許の請求項１、２、５、６、８〜１０、２０〜２３および２６に係る発明の特許は、特許法第２９条第１項の規定に違反してされたものであり、本件特許の請求項１、２、５〜１０、１２、１６、１９、２３および２６に係る発明は、甲第３号証に記載された発明であるから、本件特許の請求項１、２、５〜１０、１２、１６、１９、２３および２６に係る発明の特許は、特許法第２９条第１項の規定に違反してされたものであり、本件特許の請求項１、２、５〜１０、１２、１６、１９〜２３および２６に係る発明は、甲第１号証〜甲第３号証に記載された発明の基づいて当業者が容易に発明をすることができたものであるから、請求項１、２、５〜１０、１２、１６、１９〜２３および２６に係る発明の特許は、特許法第２９条第２項に違反してされたものであり、さらに、本件特許の請求項１、３〜５、７〜１０、１２、１６、２３〜２４および２６に係る発明は、その出願前に出願され、本件出願後に出願公開（国際公開）された甲第４号証の願書に最初に添付した明細書に記載された発明と同一であるから、請求項１、３〜５、７〜１０、１２、１６、２３〜２４および２６に係る発明の特許は、特許法第２９条の２の規定に違反してされたものであり、特許法第１１３条第１項第２号の規定により取り消すべき旨、
（ii）異議申立人　小野節子は、甲第１号証（特開平１−２６６８４４号）、甲第２号証（特開昭６１−２６３６３１号）、甲第３号証（「コスメティック・アンド・トイレタリィズ（Ｃｏｓｍｅｔｉｃ＆Ｔｏｉｌｅｔｒｉｅｓ）」、第１０４巻、第３号、第１２７頁（１９８９年））、参考文献１（特開平４−２７３８０９号）、参考文献２（「メルク・インデックス第１２版」、第２９９頁、左欄、下から４行〜右欄、第８行（１９９６年発行））、参考文献３（「分子細胞生物学辞典」、第７４９頁、左欄、第２９行〜右欄２行（１９９７年３月１０日発行））を提出して、本件特許の請求項１〜３、５〜１０、１２、１５、１６、１９〜２０、２２および２６に係る各発明は、前記甲第１〜３号証のいずれかに記載された発明であるから、請求項１〜３、５〜１０、１２、１５、１６、１９〜２０、２２および２６に係る各発明の特許は特許法第２９条第１項の規定に違反してされたものであり、また、本件特許の請求項４、１１、２１、２３および２４に係る発明は、前記甲第１〜３号証に記載された発明に基づいて当業者が容易に発明をすることができたものであるから、請求項４、１１、２１、２３および２４に係る発明の特許は特許法第２９条第２項の規定に違反してされたものであるから、特許法第１１３条第１項第２号の規定により取り消すべき旨、それぞれ主張している。
２．異議申立てについての判断
　訂正後の請求項１〜７に係る発明は、特許異議の申立の対象とならなかった請求項１３〜１４、１７〜１８、２５及び２７の内容に減縮されたものである。
　そこで、訂正後の請求項１〜７に係る発明について、各異議申立人の異議申立理由及び提出した各甲号証の記載を検討すると、特許異議の申立の対象となった特許査定時の明細書の請求項１〜１２、１５〜１６、１９〜２４および２６に係る発明は、訂正により、異議申立の対象となっていなかった請求項１３〜１４、１７〜１８、２５及び２７の内容に減縮して請求項１〜７としたものであるから、訂正後の請求項１〜７に係る発明は、異議申立の理由からすると、いずれの申立の理由にも該当するものではない。
　したがって、訂正後の請求項１〜７に係る発明は、前記各異議申立人が提出した各甲号証または参考資料に記載された発明であるとはいえないし、それらに記載された発明に基づいて当業者が容易に発明をすることができたものでもない。
Ｖ．むすび
　以上のとおりであるから、特許異議申立人の主張及び証拠方法によっては請求項１〜７に係る発明の特許を取り消すことはできない。
　また、他に請求項１〜７に係る発明の特許を取り消すべき理由を発見しない。
　よって、結論のとおり決定する。
【異議決定日】
平成１２年９月１９日（２０００．９．１９）
【訂正の要旨】
訂正の要旨
　特許第２８９８２０９号の明細書の記載を次のとおり訂正する。
（１）特許請求の範囲の記載を、特許請求の範囲の減縮を目的に次のとおり訂正する。
「【請求項１】　水相と、少なくとも１つのエステルを含有する脂肪相とを含有する組成物であり、前記エステルが、１２から２０の中から選択された炭素数を有し、組成物の全重量の０．１重量％から１０重量％の範囲で存在し、脂肪相が、組成物の全重量の２０重量％よりも少なく存在し、エレクトロステリック作用による脂肪相を懸濁させるための薬剤を含有し、該懸濁薬剤がＣ１０〜Ｃ３０アルキルアクリレートおよびメタクリル酸またはそのエステルのコポリマーであることを特徴とする、メークアップクレンジング組成物。
　【請求項２】　前記コポリマーが、酢酸エチル／シクロヘキサン混合物における、重合させた、アクリル酸／メタクリル酸ステアリルコポリマーであることを特徴とする、特許請求の範囲第１項に記載の組成物。
　【請求項３】　前記懸濁薬剤が、組成物の全重量に対して、０．０５重量％から２重量％存在することを特徴とする、特許請求の範囲第１または２項に記載の組成物。
　【請求項４】　水相と、少なくとも１つのエステルを含有する脂肪相とを含有する組成物であり、前記エステルが、１２から２０の中から選択された炭素数を有し、組成物の全重量の０．１重量％から１０重量％の範囲で存在し、脂肪相が、組成物の全重量の２０重量％よりも少なく存在し、界面張力を減少させることによって脂肪相を分散させるための薬剤を含有し、該薬剤が、イオン性脂質（リポソーム）または非イオン性脂質からなる、あるいはナノメーターサイズの、乳化システムから形成され、該乳化システムがセチルアルコールおよびステアリン酸グリセリル／ステアリン酸ＰＥＧ　１００（ＣＴＦＡ）からなることを特徴とする、メークアップクレンジング組成物。
　【請求項５】　水相と、少なくとも１つのエステルを含有する脂肪相とを含有する組成物であり、前記エステルが、１２から２０の中から選択された炭素数を有し、組成物の全重量の０．１重量％から１０重量％の範囲で存在し、脂肪相が、組成物の全重量の２０重量％よりも少なく存在し、界面張力を減少させることによって脂肪相を分散させるための薬剤を含有し、該薬剤が、イオン性脂質（リポソーム）または非イオン性脂質からなる、あるいはナノメーターサイズの、小胞に基づく小胞システムから形成され、該小胞システムが水素化レシチン／オキシエチレン化ダイズステロール（エチレンオキシド５モル）混合物から形成されることを特徴とする、メークアップクレンジング組成物。
　【請求項６】　水和したイオン性脂質小胞（リポソーム）によって前記組成物の脂肪相を分散することにより得られた、クリームのかたさのゲルの形態で提供されることを特徴とする、特許請求の範囲第５項に記載の組成物。
　【請求項７】　特許請求の範囲第１ないし６項のいずれか１項に記載のメークアップクレンジング組成物がメークアップした皮膚または目に適用され、洗い落とす工程を含有しないことを特徴とするメークアップクレンジング方法。」
（２）　明りょうでない記載の釈明を目的に、明細書の、［００５２］の記載中の「実施例２」を「参考例」と訂正し、
同じく、明細書の［００５４］の記載中の「実施例３」を「実施例２」と訂正し、明細書の［００５６］の記載中の「実施例４」を「実施例３」と訂正し、同じく、明細書の［００５９］の記載中の「実施例５」を「実施例４」とそれぞれ訂正する。
（３）明りょうでない記載の釈明を目的に、明細書の、［００４９］の記載中の
「この実施例で選択されたエステルを、以下の組成（重量％）で製剤した：
　−エステル　　　　　　　　　　　　　　　　　５％（本発明）
　又は　　　　　　　　　　　　　　　　　　　３０％（従来技術）
　−懸濁剤（ペムレンＴＲ１（グッドリッチ））０．１％
　−トリエタノールアミン　　　　　　　　　　０．１％
　−水　　　　　　　　　　　　　　ｑｓ　１００％」
を
「この実施例で選択されたエステルを、以下の組成（重量％）で製剤した：
本発明の処方
−エステル　　　　　　　　　　　　　　　　　５％
−懸濁剤（ペムレンＴＲ１（グッドリッチ））０．１％
−トリエタノールアミン　　　　　　　　　０．１％
−水　　　　　　　　　　　　　　ｑｓ　ｌ００％
※従来技術の処方
−エステル　　　　　　　　　　　　　　　３０％
−懸濁剤（ペムレンＴＲ１（グッドリッチ））０．１％
−トリエタノールアミン　　　　　　　　　０．１％
−水　　　　　　　　　　　　　　ｑｓ　ｌ００％　　」と訂正する。
（５４）【発明の名称】
Ｃ１２〜Ｃ２０エステルに基づく組成物およびメークアップクレンジングにおける使用
（５７）【特許請求の範囲】
　　【請求項１】　水相と、少なくとも１つのエステルを含有する脂肪相とを含有する組成物であり、前記エステルが、１２から２０の中から選択された炭素数を有し、組成物の全重量の０．１重量％から１０重量％の範囲で存在し、脂肪相が、組成物の全重量の２０重量％よりも少なく存在し、エレクトロステリック作用による脂肪相を懸濁させるための薬剤を含有し、該懸濁薬剤がＣ１０〜Ｃ３０アルキルアクリレートおよびメタクリル酸またはそのエステルのコポリマーであることを特徴とする、メークアップクレンジング組成物。
　　【請求項２】　前記コポリマーが、酢酸エチル／シクロヘキサン混合物における、重合させた、アクリル酸／メタクリル酸ステアリルコポリマーであることを特徴とする、特許請求の範囲第１項に記載の組成物。
　　【請求項３】　前記懸濁薬剤が、組成物の全重量に対して、０．０５重量％から２重量％存在することを特徴とする、特許請求の範囲第１または２項に記載の組成物。
　　【請求項４】　水相と、少なくとも１つのエステルを含有する脂肪相とを含有する組成物であり、前記エステルが、１２から２０の中から選択された炭素数を有し、組成物の全重量の０．１重量％から１０重量％の範囲で存在し、脂肪相が、組成物の全重量の２０重量％よりも少なく存在し、界面張力を減少させることによって脂肪相を分散させるための薬剤を含有し、該薬剤が、イオン性脂質（リポソーム）または非イオン性脂質からなる、あるいはナノメーターサイズの、乳化システムから形成され、該乳化システムがセチルアルコールおよびステアリン酸グリセリル／ステアリン酸ＰＥＧ１００（ＣＴＦＡ）からなることを特徴とする、メークアップクレンジング組成物。
　　【請求項５】　水相と、少なくとも１つのエステルを含有する脂肪相とを含有する組成物であり、前記エステルが、１２から２０の中から選択された炭素数を有し、組成物の全重量の０．１重量％から１０重量％の範囲で存在し、脂肪相が、組成物の全重量の２０重量％よりも少なく存在し、界面張力を減少させることによって脂肪相を分散させるための薬剤を含有し、該薬剤が、イオン性脂質（リポソーム）または非イオン性脂質からなる、あるいはナノメーターサイズの、小胞に基づく小胞システムから形成され、該小胞システムが水素化レシチン／オキシエチレン化ダイズステロール（エチレンオキシド５モル）混合物から形成されることを特徴とする、メークアップクレンジング組成物。
　　【請求項６】　水和したイオン性脂質小胞（リポソーム）によって前記組成物の脂肪相を分散することにより得られた、クリームのかたさのゲルの形態で提供されることを特徴とする、特許請求の範囲第５項に記載の組成物。
　　【請求項７】　特許請求の範囲第１ないし６項のいずれか１項に記載のメークアップクレンジング組成物がメークアップした皮膚または目に適用され、洗い落とす工程を含有しないことを特徴とするメークアップクレンジング方法。
【発明の詳細な説明】
　　　【０００１】
　　【産業上の利用分野】
　本発明は、水相と、エステルを含有する脂肪相とから形成される組成物に関し、さらに、目を含む顔のメークアップクレンジングケアにおける、その組成物の使用に関する。
　　　【０００２】
　　【従来の技術および発明が解決しようとする課題】
　この組成物は、２相ローション、乳液、クリーム、またはゲルの形態で提供可能である。これは、特に敏感肌から油しょうの肌まで、全てのタイプの皮膚からメークアップをクレンジングするのに適当である。
　　　【０００３】
　１７から３６の炭素数のエステル（Ｃ１７〜Ｃ３６エステル）を含有し、その比率が少なくとも２０重量％で存在するメークアップクレンジング製品が、文献：ＪＰ−Ａ−５５−１５０４０２に開示され、知られている。
　　　【０００４】
　この文献によれば、メークアップクレンジング効果を得るためには、少なくとも２０重量％のエステルを含有することが必須であり、刺激効果を避けるために、このエステルは、少なくともＣ１７でなければならない。この後者の理由から、この文献の著者は、少なくともＣ２３エステルであることが好ましいとしている。
　　　【０００５】
　さらに、液状メークアップクレンジング製品の調製用として、前記文献の著者は、Ｃ１７〜Ｃ２２エステルを３０重量％まで含有することが可能であるとしている。
　　　【０００６】
　固体状メークアップクレンジング製品の場合には、前記文献の著者は、２０重量％以上のエステルと、５重量％から８０重量％のパラフィンタイプの凝固剤と、炭化水素などの他の油性添加剤を組み合わせることが可能であると指摘している。
　　　【０００７】
　したがって、上記文献に記載されたメークアップクレンジング製品は、Ｃ１７〜Ｃ３６、好ましくはＣ２３〜Ｃ２８エステルから形成され、これら全ては、全ての場合において、２０％よりも多い、高い脂肪物質含有量を示すものである。
　　　【０００８】
　このため、これらのメークアップクレンジング製品は、使用したとき、目にベールしたような、または顔にべたつきを感じるような感覚が現われる、不快でここちよくない感覚を与えるものである。
　　　【０００９】
　使用後、トニック又は水を用いて、洗い落とすことが実際必要であることが判明している。
　さらに、このタイプのメークアップクレンジング製品における脂肪物質が高い濃度であるために、Ｃ２２エステルの場合には、香いの問題が起こる。したがって、強い香料で香いをマスクすることが必要であり、これは、刺すような感覚を与えたりまたは他の許容問題となるものである。
　　　【００１０】
　洗い落とす必要なしに、簡単に使用され、低い油脂含有量であり、顔および／または目に使用中、または使用後、ここちよい感覚があり、総合的に毒性がない、効果的なメークアップクレンジング組成物を提供することが所望されていた。
　　　【００１１】
　　【課題を解決するための手段および作用】
　この点に関して鋭意検討した結果、本出願人は、適当に選択されたエステルのある系統のものが少量からなる特別な組成物を使用することによって、従来技術の組成物における欠点を解消することが可能となることを見い出した。
　　　【００１２】
　本発明の主題は、したがって、水相と、少なくとも１つのエステルを有する脂肪相とから形成される組成物であり、前記エステルが、１２から２０の中から選択された炭素数を有し、組成物の全重量の０．１重量％から１０重量％の範囲で存在し、脂肪相が、組成物の全重量の２０重量％よりも少なく存在する、組成物である。
　　　【００１３】
　この組成物は、メークアップクレンジング組成物として、またはその製造用として使用可能である。
　　　【００１４】
　この組成物の優位点の１つは、効果的かつ非刺激性のメークアップクレンジングを提供することにある。本発明によるエステル組成物は、実際、一方で溶媒効果と他方で無毒性との完全なバランスを示すものである。
　　　【００１５】
　さらに、本発明の組成物によれば、従来のメークアップクレンジング製品と比較して新鮮でここちよい良好な使用感が得られるものである。
　　　【００１６】
　さらに、メークアップクレンジングは、洗い落とす工程なしに行うことが可能であり、これは、時間を節約することを求める現代人にとって所望されるものである。
　　　【００１７】
　本発明の組成物の他の優位点は、油脂が豊富な、メークアップ製品または目用’耐水性’メークアップ製品、たとえば、特に俳優用メークアップに使用される、ファンデーション、パウダーおよび口紅などを含む、種々のメークアップ製品のクレンジングに適用されることである。
　　　【００１８】
　また、べとついた不快感を与えるメークアップクレンジング製品がほとんど許容されない、暑い国において、非常に優位に適用されることが見い出されている。
　　　【００１９】
　本発明を以下により詳細に説明する。
　本発明の組成物に入っているエステルが、好ましくは、組成物の全重量の１％から５％の量で存在する。
　　　【００２０】
　このエステルは好ましくは、組成物に存在する脂肪相の全重量の４０％から１００％、より好ましくは７０％から１００％、存在する。
　　　【００２１】
　前記エステルは、１から１７の中から選択された炭素数を有する、直鎖または分岐アルコールと、３から１８の中から選択された炭素数を有する、直鎖または分岐脂肪酸とから得られ、前記エステルは好ましくは、１２から１７の中から選択された炭素数を有する。
　このエステルは、好ましくは、モノエステルまたはジエステルである。
　　　【００２２】
　このエステルは好ましくは、不飽和結合および／またはエーテル基またはヒドロキシル基を含有しないエステルの群から選択されるものである。
　　　【００２３】
　より優位には、前記エステルは、エーテル基、ヒドロキシル基のいずれも含有しない飽和エステルである。
　　　【００２４】
　したがって本発明による組成物のエステルは、特に、アジピン酸ジイソプロピル、ヘキサン酸２−エチルヘキシル、ラウリン酸エチル、ミリスチン酸メチル、ネオペンタン酸イソデシル、ミリスチン酸エチル、プロピオン酸ミリスチル、２−エチルヘキサン酸２−エチルヘキシル、オクタン酸２−エチルヘキシル、カプリン酸／カプリル酸２−エチルヘキシル、パルミチン酸メチル、ミリスチン酸ブチル、ミリスチン酸イソブチル、パルミチン酸エチル、ラウリン酸イソヘキシル、および、ラウリン酸ヘキシルである。
　　　【００２５】
　本発明による組成物は、上記で定めた１以上のエステルを含有することも可能であることはいうまでもない。
　　　【００２６】
　本発明による組成物は、ある１例としては、水相と脂肪相との間に明確な界面を有する２相ローションの形態で提供可能である。
　　　【００２７】
　本発明による組成物は、他の例としてはさらに、脂肪相を電歪作用によって懸濁液にするための薬剤を含有するものであってもよい。
　　　【００２８】
　この場合、この懸濁薬剤は好ましくは、Ｃ１０〜Ｃ３０アルキルアクリレート（Ｃ１０〜Ｃ３０ａｌｋｙｌ　ａｃｒｙｌａｔｅｓ）およびアクリル酸またはメタクリル酸またはそれらのエステルのコポリマーである。
　　　【００２９】
　このようなコポリマーは、たとえば、グッドリッチ（ＧＯＯＤＲＩＣＨ）会社から、ペムレン（Ｐｅｍｕｌｅｎ）ＴＲ１、ペムレンＴＲ２およびカルボポール（Ｃａｒｂｏｐｏｌ）１３４２として販売されている。
　　　【００３０】
　前記脂肪相懸濁薬剤は、組成物の全重量に対して、０．０５重量％から２重量％存在してもよい。したがって、選択された内容物に応じて、乳液またはクリームが得られる。
　　　【００３１】
　本発明による組成物は、他の例としてはまた、界面張力を減少させることによって作用する、脂肪相を分散させるための薬剤を含有するものであってもよい。この場合、この薬剤は、イオン性脂質（リポソーム）または非イオン性脂質からなる、あるいはナノメーターサイズの、小胞に基づく小胞システム、または、乳化システムから形成可能である。
　　　【００３２】
　乳化システムは、当業者には良くしられているものであり、たとえば、セチルアルコールおよびステアリン酸グリセリル／ステアリン酸ＰＥＧ１００（ＣＴＦＡ）からなるものであってもよい。
　　　【００３３】
　前記脂肪相懸濁薬剤が小胞システムである場合、小胞システムは好ましくは、水素化レシチン／オキシエチレン化ダイズステロール（エチレンオキシド５モル）混合物から形成される。
　　　【００３４】
　本発明の組成物の脂肪相を分散させるための、他の小胞システムもまた、使用可能である。このようなシステムを調製するために、文献：ＦＲ−Ａ−２３１５９９１またはＦＲ−Ａ−２５４３０１８の教示が有効である。
　　　【００３５】
　脂肪相を分散するための薬剤は、全組成物に対して、０．０５％から２％存在してもよい。
　　　【００３６】
　本発明の組成物はさらに、粘度を増加させるための薬剤を含有するものであってもよく、これは、ゲルのようなものをより大きく、またはより小さくするテクスチャを有するメークアップクレンジングを得るためのものである。
　　　【００３７】
　この場合、この薬剤は、特に水相の、ゲル化剤であり、
−多糖、たとえばセルロース誘導体（カルボキシメチルセルロース、ヒドロキシエチルセルロース、およびヒドロキシプロピルメチルセルロース）、天然ゴム、たとえばキサンタンゴム（ｘａｎｔｈａｎ　ｇｕｍ、ケルコ（ＫＥＬＣＯ）会社から、ケルトロール（Ｋｅｌｔｒｏｌ）Ｔとして販売されている）、グアゴム、およびカロブゴム、スクレログルカン（ｓｃｌｅｒｏｇｌｕｃａｎｓ）、キチンまたはキトーサンの誘導体、およびカラギーナン（サノフィ（ＳＡＮＯＦＩ）会社から、サチアゲル（Ｓａｔｉａｇｅｌ）Ｋ８０として販売されている）、
−カルボメール（Ｃａｒｂｏｍｅｒ）タイプのポリカルボキシビニル誘導体（グッドリッチ（ＧＯＯＤＲＩＣＨ）会社からカルボポール（Ｃａｒｂｏｐｏｌ）９４０、９５１、および９８０として、または、３Ｖ−シグマ社から、シンタレン（Ｓｙｎｔｈａｌｅｎ）ＫまたはシンタレンＬとして販売されている）、
からなる群から選択されるものであってもよい。
　　　【００３８】
　ゲル化剤は、組成物の全重量に対して、０．１重量％から２重量％存在可能である。
　　　【００３９】
　本発明の組成物はまた、化粧品用として許容される活性薬剤を含有可能である。
　　　【００４０】
　活性薬剤は好ましくは、湿潤剤、特にたとえば、グリセリン、およびブチレングリコール、抗炎症剤、たとえばアラントインおよびビスアボロール、抗フリーラジカル剤、たとえばビタミンＥまたはその誘導体、カルマティブ（ｃａｌｍａｔｉｖｅｓ）、たとえばやぐるまぎく水およびアイリスの抽出液、または他の天然水溶性植物抽出物から選択される。
　　　【００４１】
　メークアップクレンジングに適用する際は、本発明の組成物は、皮膚を考慮したｐＨ、一般的には５から８、好ましくは６から７．５のｐＨである。
　　　【００４２】
　効果的にするためには、本発明による好ましい組成物は、重量％で、１％から１０％の１２〜２０から選択された炭素数の少なくとも１つのエステル、０．０５％から１％の懸濁剤、ｐＨ６．５とするための十分な量の中和塩基、および、全体として１００％にするための水からなるものである。
　　　【００４３】
　他の特に好ましい組成物は、重量％で、８％のヘキサン酸２−エチルヘキシル、０．１％の、酢酸エチル／シクロヘキサン混合物における、重合させた、アクリル酸／メタクリル酸ステアリルコポリマー、０．１％のトリエタノールアミン、０．１％のビスアボロール（ＣＴＦＡ）、１％のやぐるまぎく水、ｐＨ６．５とするために十分な量の水酸化ナトリウム溶液、および、全体として１００％にするための水からなるものである。
　　　【００４４】
　本発明のエステル組成物の他の特徴および優位点は、以下に示す実施例から明確になるであろう。ただし、本発明は、これらの実施例に限定されるものではない。
　これらの実施例の前に、組成物のメークアップクレンジング力を評価するのに使用された照査技術の短い説明を行う。
　　　【００４５】
　メークアップクレンジング力は、いわゆる’メークアップクレンジングロボット’技術を用いて照査した。この装置は、プレートと、プレートに１００ｇ／ｃｍ２の圧力をかける重りを着けたアームとからなり、アームの１端部には、プレート上でスライドする綿毛が装備されている。
　　　【００４６】
　ランコム社からアクアシルス（Ａｑｕａｃｉｌｓ）として販売されている黒い耐水性マスカラの薄層を、プレート上に付着する。
　このプレートを４時間乾燥させる。
　　　【００４７】
　４時間後、組成物を４０滴浸み込ませた綿毛を、９つの同じ方向の通路で移動させ、各々が通過した後、綿毛が変化する。
　これらの９つの通路移動後の、プレートに残存するマスカラの量を、目視で評価する。
　　　【００４８】
　このテストにおいて、プレートからマスカラが全くなくなったものを完全なメークアップクレンジングが達成されたとする。
　　　【００４９】
　　【実施例】
　実施例１：
　この実施例で選択されたエステルを、以下の組成（重量％）で製剤した：
本発明の処方
−エステル　　　　　　　　　　　　　　　　　　　５％
−懸濁剤（ペムレンＴＲ１（グッドリッチ））　　　０．１％
−トリエタノールアミン　　　　　　　　　　　　　０．１％
−水　　　　　　　　　　　　　　　　　　ｑｓ１００％
※従来技術の処方
−エステル　　　　　　　　　　　　　　　　　　　３０％
−懸濁剤（ペムレンＴＲ１（グッドリッチ））　　　０．１％
−トリエタノールアミン　　　　　　　　　　　　　０．１％
−水　　　　　　　　　　　　　　　　　　ｑｓ１００％
　　　【００５０】
　上記テストが行われた後、５％の本発明によるＣ１２エステル　（アジピン酸ジイソプロピル）を含有する組成物と、５％の本発明によるＣ１４エステル　（ヘキサン酸２−エチルヘキシル）を含有する組成物の双方が、従来技術によるＣ２７エステル（ミリスチン酸イソトリデシル）、３０％を含有する組成物よりも、メークアップクレンジング力がより優れていることが観察された。
　　　【００５１】
　本発明の範囲にはいる他の製剤例を、以下に示す。量は、ｇで表わされるものである。
　　　【００５２】
　参考例：
　２相メークアップクレンジングローション：
−ヘキサン酸２−エチルヘキシル　　　　　　　　８
−ビスアボロール　　　　　　　　　　　　　　　０．１
−塩化ナトリウム　　　　　　　　　　　　　　　０．１５
−リン酸モノカリウム　　　　　　　　　　　　　０．１
−リン酸ジカリウム　　　　　　　　　　　　　　０．１
−やぐるまぎく水　　　　　　　　　　　　　　　１
−パラ−ヒドロキシ安息香酸メチル　　　　　　　０．２
−イミダゾリジニル尿素　　　　　　　　　　　　０．１５
−水酸化ナトリウム　　　　　　　　　ｑｓ　ｐＨ６．５〜７
−水　　　　　　　　　　　　　　　　ｑｓ　１００
　　　【００５３】
　この２相ローションによれば、顔および目、耐水性メークアップにさえも、さわやかで効果的なメークアップクレンジングをすることができる。
　　　【００５４】
　実施例２：
　メークアップクレンジング乳液：
−ミリスチン酸イソプロピル　　　　　　　　　　５
−酢酸エチル／シクロヘキサン混合物における、重合化したアクリル酸／メタクリル酸ステアリルコポリマー　　　　　　　　　　０．１
−キサンタンゴム　　　　　　　　　　　　　　　０．１
−アラントイン　　　　　　　　　　　　　　　　０．１
−イミダゾリジニル尿素　　　　　　　　　　　　０．１５
−パラヒドロキシ安息香酸メチル　　　　　　　　０．２
−トリエタノールアミン　　　　　　　　　　　　０．１
−水　　　　　　　　　　　　　　　　ｑｓ　１００
　　　【００５５】
　界面活性剤なしで調製されたこの非常にべとべとしない乳液によれば、つっぱり感または刺激をおこすことなく、効果的なメークアップクレンジングをすることができる。これは特に、いわゆる敏感肌に適当である。
　　　【００５６】
　実施例３：
　メークアップクレンジングクリーム：
−プロピオン酸ミリスチル　　　　　　　　　　　　　　　　　　１０
−ステアリン酸グリセリル／ステアリン酸ＰＥＧ１００　　　　１．５
−セチルアルコール　　　　　　　　　　　　　　　　　　　　　１
−分留ココナツジエタノールアミド　　　　　　　　　　　　　　１
−アイリスの抽出物　　　　　　　　　　　　　　　　　　　　　０．０５
−グリセリン　　　　　　　　　　　　　　　　　　　　　　　　３
−２−フェノキシエタノール　　　　　　　　　　　　　　　　　０．０５
−カルボメール（３Ｖ−シグマ社からシンタレンＬとして販売）　０．６
−水酸化ナトリウム　　　　　　　　　　　　　　　　　　　　　０．１６８
−イミダゾリジニル尿素　　　　　　　　　　　　　　　　　　　０．０５
−パラヒドロキシ安息香酸メチル　　　　　　　　　　　　　　　０．１５
−水　　　　　　　　　　　　　　　　　　　　　　　ｑｓ　１００
　　　【００５７】
　このメークアップクレンジングクリームは、どのタイプのメークアップにも適当である。
　　　【００５８】
　ただし、このクリームは最大のさわやかさを与えるものであり、乾燥肌に適当である。
　　　【００５９】
　実施例４：
　メークアップクレンジングゲル−クリーム：
−パルミチン酸エチル　　　　　　　　　　　　　　　　　　　　２
−水素化レシチン　　　　　　　　　　　　　　　　　　　　　　０．６６
−オキシエチレン化ダイズステロール５ＥＯ　　　　　　　　　　０．４４
−シクロメチコン　　　　　　　　　　　　　　　　　　　　　　０．５
−カルボメール（３Ｖ−シグマ社からシンタレンＬとして販売）　０．４５
−硫酸Ｄ−ガラクトピラノース　　　　　　　　　　　　　　　０．４
−水酸化ナトリウム　　　　　　　　　　　　　　　　　　　　　０．１３
−ブチレングリコール　　　　　　　　　　　　　　　　　　　　７
−パラヒドロキシ安息香酸メチルおよびプロピル　　　　　　　　０．１
−イミダゾリジニル尿素　　　　　　　　　　　　　　　　　　　０．２５
−水　　　　　　　　　　　　　　　　　　　　　　　ｑｓ　１００
　　　【００６０】
　このリポソームゲルによれば、べとべと感なしに、非常にさわやかにメークアップクレンジングをすることができる。
　上記組成物２から４を用いて、顔および／または目のメークアップクレンジングをした後、洗い落としは必ずしも必要ではない。
　　　【００６１】
　１２人のパネラーによれば、非常な爽快感とさわやか感とが、感じられた。
　さらに、これら全ての組成物は、経時的に安定であった。